(57)【要約】【課題】ランプがプロジェクターに搭載されていないことを短時間で検出することができる。【解決手段】プロジェクター１は、ランプユニット１７を搭載するための搭載部２１と、搭載部２１を介してランプユニット１７に含まれるランプメモリー１７１からデータを読み出す動作を行うメモリー読出部と、メモリー読出部が所定条件に合致するデータをランプメモリー１７１から読み出せたか否かに基づき、正常かエラーのいずれかを判定するランプ搭載判定部と、ランプ搭載判定部による判定結果が正常の場合に、ランプユニット１７に含まれるランプ１７２を点灯させる制御を行うランプ点灯部と、を備える。【選択図】図１
2010204184.tif 000002
【特許請求の範囲】
【請求項１】
ランプユニットを搭載するための搭載部と、
前記搭載部を介して前記ランプユニットに含まれるメモリーからデータを読み出す動作を行うメモリー読出部と、
前記メモリー読出部が所定条件に合致するデータを前記メモリーから読み出せたか否かに基づき、正常かエラーのいずれかを判定するランプ搭載判定部と、
前記ランプ搭載判定部による判定結果が正常の場合に、前記ランプユニットに含まれるランプを点灯させる制御を行うランプ点灯部と、
を備えることを特徴とするプロジェクター。
【請求項２】
前記ランプ搭載判定部は、前記メモリー読出部が所定の文字列を含むデータを読み出した場合に、前記判定結果を正常とすることを特徴とする請求項１に記載のプロジェクター。
【請求項３】
前記メモリー読出部は、前記メモリーに対し読み出し信号を出力し、
前記ランプ搭載判定部は、前記読み出し信号に対して前記メモリーから肯定応答が出力された場合に、前記判定結果を正常とすることを特徴とする請求項１に記載のプロジェクター。
【請求項４】
前記搭載部は、複数の前記ランプユニットを搭載可能であり、
前記ランプ点灯部は、前記複数のランプユニットが備える前記ランプのうち、前記ランプ搭載判定部が正常と判定した前記ランプのみを点灯させる制御を行う
ことを特徴とする請求項１から３までのいずれか１項に記載のプロジェクター。
【発明の詳細な説明】
【技術分野】
【０００１】
本発明は、光源ランプのエラーを検出するプロジェクターに関する。
【背景技術】
【０００２】
従来のプロジェクターは、起動時にランプの点灯を所定回数（例えば３回）試みてもランプが点灯しなかった場合に、ランプにエラーが発生していると判定し、ランプエラー警告を出力する。このとき、プロジェクターは、ランプの点灯を試みてもランプが点灯しなかった場合、ランプ及びランプを点灯する回路を保護するため、所定の冷却時間（例えば３０秒）経過してからランプ点灯を再試行する。
特許文献１及び２には、メモリーが搭載されたランプユニットが記載されている。また、特許文献３には、複数のランプを光源とするプロジェクターが記載されている。
【先行技術文献】
【特許文献】
【０００３】
【特許文献１】特開２００７−１０２２１２号公報
【特許文献２】特開２０００−２６７０６１号公報
【特許文献３】特開２００４−２４６１４２号公報
【発明の概要】
【発明が解決しようとする課題】
【０００４】
しかしながら、従来技術では、ランプがプロジェクターに搭載されていなかった場合であっても、ランプ点灯を所定回数試みるため、ランプエラー警告が出力されるまで時間が（例えば２，３分）掛かる、という問題がある。
【０００５】
本発明は上記の点に鑑みてなされたものであり、その目的は、ランプがプロジェクターに搭載されていないことを短時間で検出することができるプロジェクターを提供することにある。
【課題を解決するための手段】
【０００６】
本発明は上記の課題を解決するためになされたものであり、本発明の一態様は、ランプユニットを搭載するための搭載部と、前記搭載部を介して前記ランプユニットに含まれるメモリーからデータを読み出す動作を行うメモリー読出部と、前記メモリー読出部が所定条件に合致するデータを前記メモリーから読み出せたか否かに基づき、正常かエラーのいずれかを判定するランプ搭載判定部と、前記ランプ搭載判定部による判定結果が正常の場合に、前記ランプユニットに含まれるランプを点灯させる制御を行うランプ点灯部と、を備えることを特徴とするプロジェクターである。
【０００７】
また、本発明の一態様は、上記のプロジェクターにおいて、前記ランプ搭載判定部は、前記メモリー読出部が所定の文字列を含むデータを読み出した場合に、前記判定結果を正常とすることを特徴とする。
【０００８】
また、本発明の一態様は、上記のプロジェクターにおいて、前記メモリー読出部は、前記メモリーに対し読み出し信号を出力し、前記ランプ搭載判定部は、前記読み出し信号に対して前記メモリーから肯定応答が出力された場合に、前記判定結果を正常とすることを特徴とする。
【０００９】
この発明によれば、プロジェクターは、ランプユニットが備えるランプメモリーから所定条件に合致するデータを読み出せたか否かに基づき、ランプが搭載されている（正常）か否（エラー）かの判定を行うため、ランプを点灯する処理を行うことなく、ランプが搭載されているか否かの判定を短時間（例えば１秒以内）で行うことができる。よって、ランプが搭載されていない旨を短時間で表示することができる。また、ランプが搭載されていない場合のエラーと、ランプに関するその他（例えばランプの寿命が尽きた場合など）のエラーとを区別して表示することができる。
【００１０】
また、本発明の一態様は、上記のプロジェクターにおいて、前記搭載部は、複数の前記ランプユニットを搭載可能であり、前記ランプ点灯部は、前記複数のランプユニットが備える前記ランプのうち、前記ランプ搭載判定部が正常と判定した前記ランプのみを点灯させる制御を行うことを特徴とする。
【００１１】
通常、プロジェクターは、ランプの保護のため、ランプ消灯の操作（例えば電源オン時の電源ボタン押下）が行われた場合であっても、ランプを点灯してから所定の消灯待機時間（例えば２分間）はランプを消灯しない。従来のプロジェクターでは、ランプが複数搭載されている場合には、電源オン時に全てのランプに対して点灯を所定回数試みる。よって、例えばランプを２つ搭載可能なプロジェクターであって、片方のランプが搭載されていない場合には、搭載されているランプを点灯した後、搭載されていないランプの点灯を所定回数試みるため、ランプの点灯を試みた時間（例えば２，３分）だけプロジェクターの電源をオフにできるまでの時間が長引く。よって、例えば片方のランプユニットが搭載されていないときに、ユーザが誤ってプロジェクターの電源をオンにして、すぐに電源をオフにしたい場合であっても、従来のプロジェクターでは電源をオフにできるまで長時間（消灯待機時間＋ランプ点灯を所定回数試みた時間）要する。
この発明によれば、プロジェクターは、複数のランプのうち、搭載されていると判定したもののみを点灯するため、搭載されていないランプに対して所定回数（例えば３回）点灯を試みることはない。これにより、搭載されていないランプユニットがあるときに、ユーザが誤ってプロジェクターの電源をオンにして、すぐに電源をオフにしたい場合であっても、従来に比べて短い時間で電源をオフにすることができる。
【図面の簡単な説明】
【００１２】
【図１】第１の実施形態によるプロジェクターの機能構成を示すブロック図である
【図２】本実施形態によるランプ発光処理部の機能構成を示すブロック図である。
【図３】本実施形態によるプロジェクターのランプ発光処理の手順を示すフローチャートである。
【図４】第２の実施形態によるプロジェクターの構成を示すブロック図である。
【発明を実施するための形態】
【００１３】
以下、図面を参照しながら本発明の実施形態について詳しく説明する。
［第１の実施形態］
図１は、本発明の一実施形態によるプロジェクター１の機能構成を示すブロック図である。
プロジェクター１は、制御部１１と、記憶部１２と、操作部１３と、表示部１４と、液晶パネル駆動部１５と、ランプ駆動部１６と、光学部１８と、投射レンズ１９と、入力部２０と、搭載部２１とを含んで構成される。
【００１４】
入力部２０は、例えば図示しないパーソナルコンピューターなどからの映像信号を入力とし、入力された映像信号を制御部１１に出力する。制御部１１は、映像信号処理部１１Ａとランプ発光処理部１１Ｂを含んで構成され、プロジェクター１の動作を制御する制御回路である。映像信号処理部１１Ａは、光学部１８が備える液晶ライトバルブの解像度に合わせて映像信号が示す画像の拡大縮小を行うスケーリング処理や、映像信号の有する階調値を液晶ライトバルブで表示するのに適した値に変換するγ補正処理などの映像信号処理を入力された映像信号に対して行い、映像信号処理を行った映像信号を液晶パネル駆動部１５に出力する。ランプ発光処理部１１Ｂの処理の詳細については後述する。
【００１５】
搭載部２１は、ランプユニット１７を脱着可能に搭載し、ランプユニット１７と制御部１１、及びランプユニット１７とランプ駆動部１６をそれぞれ接続するためのコネクタを有する。ランプユニット１７は、ランプメモリー１７１とランプ１７２を含み一体として構成される。ランプメモリー１７１は、書き換え可能な半導体メモリーであり、ランプ１７２の使用時間、ランプ１７２の識別情報、及びランプ１７２の製造事業者名などを表す特殊文字列などランプ１７２に関するデータを記憶する。ランプ１７２は、投射のための光源である。ランプ駆動部１６は、ランプ１７２を点灯させるために電圧を発生させるイグナイタ回路（不図示）と、ランプ１７２点灯後安定した点灯状態を維持するためのバラスト回路（不図示）とを含んで構成される駆動回路である。光学部１８は、液晶ライトバルブを備え、ランプ１７２からの光を変調する。液晶パネル駆動部１５は、入力された映像信号に基づいて光学部１８が備える液晶ライトバルブを駆動する。投射レンズ１９は、光学部１８で変調された光をスクリーンなどに投射する。
【００１６】
記憶部１２は、半導体メモリーであり、ランプ１７２を表示させるための表示用パラメーターなどを記憶する。表示用パラメーターは、例えばランプ１７２に出力する電力の度合い（例えば、最小電力から最大電力までを０％から１００％で表した相対的な値）などである。操作部１３は、プロジェクター１の電源をオン／オフする電源ボタンを備え、ユーザからの操作を受ける。表示部１４は、例えば液晶ディスプレイなどから構成され、ランプに関するエラーなどを表示する。
【００１７】
図２は、本実施形態によるランプ発光処理部１１Ｂの機能構成を示すブロック図である。
ランプ発光処理部１１Ｂは、メモリー読出部１０１と、ランプ搭載判定部１０２と、ランプ点灯部１０３と、ランプ状態取得部１０４と、ランプエラー判定部１０５とを含んで構成される。
【００１８】
プロジェクター１が電源オフ時に操作部１３の電源ボタンが押下（ランプ１７２を点灯させるための操作）されると、メモリー読出部１０１は、ランプユニット１７に含まれるランプメモリー１７１からデータを読み出す動作を行う。具体的には、メモリー読出部１０１は、ランプメモリー１７１に対してデータの読み出しを要求する信号（以下、読み出し信号とする）を出力する。
【００１９】
ランプ搭載判定部１０２は、メモリー読出部１０１が所定条件に合致するデータをランプメモリー１７１から読み出せたか否かに基づき、ランプ１７２がプロジェクター１に搭載されている（正常）か否（エラー）かを判定する。具体的には、ランプ搭載判定部１０２は、メモリー読出部１０１がランプメモリー１７１に出力した読み出し信号に対し、所定の特殊文字列「（例えば製造事業者名「ＥＰＳＯＮ（登録商標）」など）を含むデータがランプメモリー１７１から返された場合に、ランプ１７２が搭載されていると判定する。一方、ランプ搭載判定部１０２は、読み出し信号に対し、ランプメモリー１７１から応答がなかった（タイムアウトが起きた）場合或いは特殊文字列を含まないデータが返された場合に、ランプ１７２が搭載されていないと判定する。そして、ランプ搭載判定部１０２は、ランプ１７２が搭載されていないと判定した場合には、エラー信号を出力して表示部１４にランプが搭載されていない旨のエラーを表示する。一方、ランプ１７２が搭載されていると判定した場合には、ランプ搭載判定部１０２は、ランプ点灯部１０３へランプ１７２を点灯する指示を出力する。なお、ランプ１７２とランプメモリー１７１は、一体となって脱着される。
【００２０】
なお、本実施形態では、特殊文字列に基づいてランプ１７２が搭載されているか否かを判定しているが、通信ステータスに基づいてランプ１７２が搭載されているか否かを判定してもよい。この場合、ランプ搭載判定部１０２は、ランプメモリー１７１に出力した読み出し信号に対し、ＡＣＫ（肯定応答）信号が返された場合に、ランプ１７２が搭載されていると判定する。一方、読み出し信号に対してＮＡＣＫ（否定応答）信号が返された場合或いは応答がなかった（タイムアウトが起きた）場合には、ランプ搭載判定部１０２は、ランプ１７２が搭載されていないと判定する。
【００２１】
ランプ点灯部１０３は、ランプ搭載判定部１０２によりランプ１７２が搭載されていると判定された（判定結果が正常の）場合に、ランプ１７２を点灯させる制御を行う。具体的には、ランプ点灯部１０３は、ランプ１７２を点灯するための表示用パラメーターをランプ駆動部１６に通知して、ランプ１７２を点灯させる。なお、表示用パラメーターは、予め記憶部１２に設定されている。
【００２２】
ランプ状態取得部１０４は、ランプ１７２が点灯しているか否かの状態をランプ駆動部１６から取得する。具体的には、ランプ１７２が点灯している時は、ランプ駆動部１６が備えるバラスト回路からランプ１７２に電流（以下、点灯電流とする）が流れるため、ランプ状態取得部１０４は、その点灯電流が流れているか否かを取得する。そして、ランプ状態取得部１０４は、ランプが点灯しているか否かの状態をランプエラー判定部１０５に出力する。具体的には、ランプ状態取得部１０４は、点灯電流が流れている場合にはランプが点灯していることをランプエラー判定部１０５に通知し、点灯電流が流れていない場合にはランプが点灯していないことをランプエラー判定部１０５に通知する。
【００２３】
ランプエラー判定部１０５は、ランプ状態取得部１０４から入力されたランプ１７２の状態に基づいてランプ１７２にエラーが発生しているか否かを判定する。具体的には、ランプエラー判定部１０５は、ランプ状態取得部１０４から所定回数（例えば、３回）ランプ１７２が点灯していないことが通知されると、ランプ１７２にエラーが発生していると判定し、ランプ１７２にエラーが発生していることを表示部１４に表示する。一方、ランプ状態取得部１０４からランプ１７２が点灯していないことが通知された回数が所定回数未満である場合には、ランプエラー判定部１０５は、ランプ点灯部１０３へランプ１７２を再点灯する指示を出力する。
【００２４】
次に、図３を参照して本実施形態によるプロジェクター１の処理について説明する。図３は、本実施形態によるプロジェクター１のランプ発光処理の手順を示すフローチャートである。
まず、ステップＳ１では、制御部１１は、操作部１３からの電源ボタンが押下されたことを示す操作信号により、プロジェクター１の電源をオンにする。
次に、ステップＳ２では、メモリー読出部１０１が、ランプユニット１７が備えるランプメモリー１７１からデータを読み出す動作を行う。具体的には、メモリー読出部１０１は、ランプメモリー１７１に対して読み出し信号を出力する。
次に、ステップＳ３では、ランプ搭載判定部１０２が、読み出し信号に対しランプメモリー１７１から出力されたデータを確認する。具体的には、ランプ搭載判定部１０２は、読み出し信号に対し、所定の特殊文字列を含むデータがランプメモリー１７１から返された場合に、ランプ１７２が搭載されている（データＯＫ）と判定し、ステップＳ５へ進む。一方、ランプ搭載判定部１０２は、読み出し信号に対し、ランプメモリー１７１から応答がなかった場合或いは特殊文字列を含まないデータが返された場合に、ランプ１７２が搭載されていない（データＮＧ）と判定し、ステップＳ４へ進む。
【００２５】
ステップＳ４では、表示部１４が、ランプ１７２がプロジェクター１に搭載されていない旨のエラーメッセージを表示する。
一方、ステップＳ５では、ランプ点灯部１０３が、ランプ１７２を点灯するための表示用パラメーターを設定し、設定した表示用パラメーターをランプ駆動部１６に出力する。
次に、ステップＳ６では、ランプ駆動部１６が、ランプ１７２に高電圧を印加することにより、ランプ１７２を点灯させる。
次に、ステップＳ７では、ランプ状態取得部１０４が、ランプ駆動部１６が備えるバラスト回路の点灯電流をモニタし、ランプ１７２が点灯したか否かを判定する。具体的には、ランプ状態取得部１０４は、点灯電流が流れている場合にはランプ１７２が点灯したと判定し、ステップＳ８へ進む。一方、ランプ状態取得部１０４は、点灯電流が流れていない場合にはランプ１７２が点灯していないと判定し、ステップＳ９へ進む。
【００２６】
ステップＳ８では、制御部１１は、入力される映像信号が示す画像を投射表示するためのシステム起動処理を行う。
一方、ステップＳ９では、ランプエラー判定部１０５が、ランプ１７２の点灯失敗が所定回数（例えば、３回）目であるか否かを判定する。点灯失敗が３回目である場合には、ステップＳ１１へ進む。一方、点灯失敗が３回未満である場合には、ステップＳ１０へ進む。
ステップＳ１０では、制御部１１は、内蔵する計時部を用いてランプ１７２を冷却するための冷却時間（例えば、３０秒）待機してからステップＳ６へ戻る。冷却時間は、ランプ１７２及びランプ駆動部１６を保護するために、ランプ１７２及びランプ駆動部１６が冷却するまで待機する時間である。プロジェクター１は、冷却時間が経過するまでランプ１７２を再点灯しない。
一方、ステップＳ１１では、表示部１４が、ランプ１７２にエラーが発生していることを表示する。
【００２７】
このように、本実施形態によるプロジェクター１は、所定回数ランプ１７２を点灯する処理（上述したステップＳ６からＳ１０）を回避するための制御（上述したステップＳ２からＳ３）を設けた。つまり、プロジェクター１は、ランプユニット１７が備えるランプメモリー１７１のデータに基づいてランプ１７２が搭載されているか否かの判定を行うため、ランプ１７２を点灯する処理を行うことなく、ランプ１７２が搭載されているか否かの判定を短時間（例えば１秒未満）で行うことができる。よって、ランプ１７２が搭載されていない旨を表示部１４に短時間で表示することができる。また、プロジェクター１は、ランプ１７２が搭載されていない場合のエラーと、ランプ１７２に関するその他（例えばランプ１７２の寿命が尽きた場合など）のエラーとを区別して表示することができる。
【００２８】
［第２の実施形態］
次に、第２の実施形態によるプロジェクター５を説明する。図４は、本実施形態によるプロジェクター５の構成を示すブロック図である。本実施形態におけるプロジェクター５は、図１に示す構成に対して複数の搭載部６１と、各搭載部６１に対応する複数のランプ駆動部５６を設けている。つまり、プロジェクター５は、複数のランプユニット５７を搭載可能なプロジェクターである。
【００２９】
通常、プロジェクターは、ランプの保護のため、ランプ消灯の操作（例えば電源オン時の電源ボタン押下）が行われた場合であっても、ランプを点灯してから所定の消灯待機時間（例えば２分間）はランプを消灯しない。従来のプロジェクターでは、ランプが複数搭載されている場合には、電源オン時に全てのランプに対して点灯を所定回数試みる。よって、例えばランプを２つ搭載可能なプロジェクターであって、片方のランプが搭載されていない場合には、搭載されているランプを点灯した後、搭載されていないランプの点灯を所定回数試みるため、ランプの点灯を試みた時間（例えば２，３分）だけプロジェクターの電源をオフにできるまでの時間が長引く。よって、例えば片方のランプユニットが搭載されていないときに、ユーザが誤ってプロジェクターの電源をオンにして、すぐに電源をオフにしたい場合であっても、従来のプロジェクターでは電源をオフにできるまで長時間（消灯待機時間＋ランプ点灯を所定回数試みた時間）要する。
【００３０】
本実施形態におけるプロジェクター５が備えるランプ発光処理部５１Ｂ（メモリー読出部）は、プロジェクター５が電源オフ時に操作部５３の電源ボタンが押下されると、各ランプユニット５７が備えるランプメモリー５７１からデータを読み出す動作を行う。次に、ランプ発光処理部５１Ｂ（ランプ搭載判定部）は、所定条件に合致するデータをランプメモリー５７１から読み出せたか否かに基づいて搭載されているランプ５７２を判定する。そして、ランプ発光処理部５１Ｂ（ランプ点灯部）は、搭載されていると判定したランプ５７２のみを点灯させる制御を行う。他の構成は第１の実施形態と同様であるため、説明を省略する。
【００３１】
このように、本実施形態によるプロジェクター５は、搭載されていないランプ５７２の点灯を回避する制御を設けた。つまり、プロジェクター５は、複数のランプ５７２のうち、搭載されていると判定したもののみを点灯するため、搭載されていないランプ５７２に対して所定回数（例えば３回）点灯を試みることはない。これにより、搭載されていないランプユニット５７があるときに、ユーザが誤ってプロジェクター５の電源をオンにして、すぐに電源をオフにしたい場合であっても、従来に比べて短い時間で電源をオフにすることができる。
【００３２】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、制御部１１，５１の処理を制御回路によりハードウェアで実現しているが、ハードウェアとソフトウェアとの組合せ（協働）により実現してもよい。
或いは、図１における制御部１１又は図４における制御部５１の機能を実現するためのプログラムをコンピュータ読み取り可能な記録媒体に記録して、この記録媒体に記録されたプログラムをコンピュータシステムに読み込ませ、実行することにより、制御部１１，５１における処理を行ってもよい。なお、ここでいう「コンピュータシステム」とは、ＯＳや周辺機器等のハードウェアを含むものであってもよい。また、「コンピュータ読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピュータシステムに内蔵されるハードディスク等の記憶装置のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３３】
１，５…プロジェクター  １１，５１…制御部  １１Ａ，５１Ａ…映像信号処理部  １１Ｂ，５１Ｂ…ランプ発光処理部  １２，５２…記憶部  １３，５３…操作部  １４，５４…表示部  １５，５５…液晶パネル駆動部  １６，６６…ランプ駆動部  １７，５７…ランプユニット  １８，５８…光学部  １９，５９…投射レンズ  ２０，６０…入力部  ２１，６１…搭載部  １０１…メモリー読出部  １０２…ランプ搭載判定部  １０３…ランプ点灯部  １０４…ランプ状態取得部  １０５…ランプエラー判定部  １７１，５７１…ランプメモリー  １７２，５７２…ランプ
【図１】
2010204184.tif 000003
【図２】
2010204184.tif 000004
【図３】
2010204184.tif 000005
【図４】
2010204184.tif 000006